(57)【要約】本発明は、本体と、口内ビューアと、歯間清掃器具と、電動歯ブラシヘッドとを有する備える多機能可視型電動歯ブラシである。口内ビューアは本体に接続され、歯間清掃器具は口内ビューアの先端部に接続され、電動歯ブラシヘッドは歯ブラシ駆動機構に接続されている。本体の回路システムおよび制御システムは、電源のエネルギーを歯ブラシ駆動機構に伝達することで、電動歯ブラシヘッドにおける広範囲の口内清掃を駆動することができるとともに、口内ビューアの照明システム、観察システムおよびスイッチを接続することで、口内ビューアの動作を制御することができる。歯間清掃器具を口内ビューアとともに使用することで、口腔内の清掃し難しい食物残渣に対して絞った清掃を行う。本発明の電動歯ブラシは、広範囲かつ高効率の清掃能力を有し、また、可視状態で歯の隙間などの清掃し難しい部分に対して正確な清掃を行うことができる。【選択図】図９
2020505080.tif 000002
【特許請求の範囲】
【請求項１】
多機能可視型電動歯ブラシであって、
前記多機能可視型電動歯ブラシ（９００）は、本体（１００）と、口内ビューア（２００）と、歯間清掃器具（４００）と、電動歯ブラシヘッド（５００）とを備え、
Ａ．前記本体（１００）は、電源システム（１１）と、回路システム（１２）と、制御システム（１３）と、歯ブラシ駆動機構（１４）と、筐体（１５）とを有し、前記電源システム（１１）、前記制御システム（１３）および前記歯ブラシ駆動機構（１４）は、前記回路システム（１２）を介して接続されており、前記電動歯ブラシヘッド（５００）は、前記歯ブラシ駆動機構（１４）に接続されて前記本体（１００）に取り付けられており、
Ｂ．前記口内ビューア（２００）は、筐体（２１）と、照明システム（２３）と、観察システム（２４）と、スイッチ（２６）とを有し、前記照明システム（２３）、前記観察システム（２４）、前記電源システム（１１）および前記スイッチ（２６）は、前記回路システム（１２）および前記制御システム（１３）を介して接続されており、前記口内ビューア（２００）は、前記本体（１００）に接続されており、
Ｃ．前記歯間清掃器具（４００）は、前記口内ビューア（２００）に取り付けられている、
多機能可視型電動歯ブラシ。
【請求項２】
前記歯ブラシ駆動機構（１４）は、振動発生装置（１４−１）と、前記振動発生装置（１４−１）によって発生された振動を伝達することができる振動伝達装置（１４−２）とを有し、前記振動伝達装置（１４−２）の一端が前記振動発生装置（１４−１）に接続されており、他端が前記電動歯ブラシヘッド（５００）に接続されている、請求項１に記載の多機能可視型電動歯ブラシ。
【請求項３】
前記振動発生装置（１４−１）は、電磁振動装置であり、電磁発振器、磁気浮上モータまたは圧電トランスデューサを有する、請求項２に記載の多機能可視型電動歯ブラシ。
【請求項４】
前記電動歯ブラシヘッド（５００）は、前記振動伝達装置（１４−２）に取り外し可能に取り付けられている、請求項２に記載の多機能可視型電動歯ブラシ。
【請求項５】
前記電動歯ブラシヘッド（５００）は、凹凸嵌合接続方法、締り嵌め接続方法または回転接続方法を介して前記振動伝達装置（１４−２）に取り外し可能に取り付けられている、請求項４に記載の多機能可視型電動歯ブラシ。
【請求項６】
前記照明システム（２３）および前記観察システム（２４）は、前記口内ビューア（２００）の先端部（２００−１）に配置されており、前記照明システム（２３）および前記観察システム（２４）は、前記回路システム（１２）および前記制御システム（１３）を介して前記本体（１００）に接続されている、請求項１に記載の多機能可視型電動歯ブラシ。
【請求項７】
前記口内ビューア（２００）の前記先端部（２００−１）は、前記本体（１００）に取り外し可能に取り付けられている、請求項６に記載の多機能可視型電動歯ブラシ。
【請求項８】
前記口内ビューア（２００）の前記先端部（２００−１）は、回転接続方法または凹凸嵌合接続方法を介して前記本体（１００）に取り外し可能に取り付けられている、請求項７に記載の多機能可視型電動歯ブラシ。
【請求項９】
前記口内ビューア（２００）の前記先端部（２００−１）は、前記本体（１００）に折り畳み可能に取り付けられている、請求項６に記載の多機能可視型電動歯ブラシ。
【請求項１０】
前記口内ビューア（２００）の前記先端部（２００−１）は、回転軸型移動機構または凹凸嵌合機構を介して前記本体（１００）に折り畳み可能に取り付けられている、請求項９に記載の多機能可視型電動歯ブラシ。
【請求項１１】
歯間清掃器具（４００）は、歯間ブラシ（４０１）、デンタルフロス（４０２）、歯ブラシ（４０３）、ウォッシャ（４０４）、物体取出しクランプ（４０５）または物体取出しフック（４０６）である、請求項１に記載の多機能可視型電動歯ブラシ。
【請求項１２】
前記歯間ブラシ（４０１）のブラシヘッド（４０１−１）、前記デンタルフロス（４０２）のフロス（４０２−１）、前記歯ブラシ（４０３）の毛（４０３−１）、前記ウォッシャ（４０４）によって噴射された水柱、前記物体取出しクランプ（４０５）のクランプヘッド（４０５−１）および前記物体取出しフック（４０６）のヘッド（４０６−１）は、前記口内ビューア（２００）の前記観察システム（２４）の視野内にある、請求項１１に記載の多機能可視型電動歯ブラシ。
【請求項１３】
前記歯間清掃器具（４００）は、接続機構（３００）を介して前記口内ビューア（２００）に取り外し可能に取り付けられている、請求項１１に記載の多機能可視型電動歯ブラシ。
【請求項１４】
前記接続機構（３００）は、回転接続機構、凹凸嵌合接続機構または締り嵌め接続機構である、請求項１３に記載の多機能可視型電動歯ブラシ。
【請求項１５】
前記ウォッシャ（４０４）は、噴射ノズル（４０４−１）、水タンク（４０４−２）、水管（４０４−３）、噴射水噴射スイッチ（４０４−４）および加圧装置（４０４−５）を有し、前記水タンク（４０４−２）および前記加圧装置（４０４−５）は、前記本体（１００）の前記筐体（１５）に取り付けられ、前記ノズル（４０４−１）は、前記口内ビューア（２００）の前記先端部（２００−１）の前記観察システム（２４）の近傍に取り付けられている、請求項１１に記載の多機能可視型電動歯ブラシ。
【請求項１６】
前記加圧装置（４０４−５）は、電動加圧装置（４０４−５１）である、請求項１５に記載の多機能可視型電動歯ブラシ。
【請求項１７】
前記電動加圧装置（４０４−５１）は、電動空気加圧装置（４０４−５１−１）または電動水加圧装置（４０４−５１−２）である、請求項１６に記載の多機能可視型電動歯ブラシ。
【請求項１８】
前記電動水加圧装置（４０４−５１−２）は、水中ポンプ（４０４−５１−２１）または水ポンプ（４０４−５１−２２）である、請求項１７に記載の多機能可視型電動歯ブラシ。
【請求項１９】
前記ウォッシャ（４０４）の前記ノズル（４０４−１）は、前記口内ビューア（２００）の前記先端部（２００−１）の前記筐体（２１）の内部に配置されることが可能である、請求項１１に記載の多機能可視型電動歯ブラシ。
【請求項２０】
前記ウォッシャ（４０４）は、前記歯間ブラシ（４０１）、前記デンタルフロス（４０２）、前記歯ブラシ（４０３）、前記物体取出しクランプ（４０５）または前記物体取出しフック（４０６）と合わせて使用されることが可能である、請求項１１に記載の多機能可視型電動歯ブラシ。
【請求項２１】
前記ウォッシャ（４０４）によって噴射される水柱の方向は、前記歯間ブラシ（４０１）または前記デンタルフロス（４０２）が歯の隙間に入る方向とほぼ同じである、請求項２０に記載の多機能可視型電動歯ブラシ。
【発明の詳細な説明】
【技術分野】
【０００１】
本発明は口内清掃器具に関し、特に、歯、歯の隙間および口腔を清掃するための多機能可視型電動歯ブラシに関する。
【背景技術】
【０００２】
従来技術の電動歯ブラシは、毎分３０，０００回以上の振動を行うことで、口腔内の歯磨きと水との混合物中に多量の微小な気泡を発生させ、これらの気泡が破裂したときに発生する圧力を利用して、歯の隙間の奥にある汚れを清掃する目的を達成する。それにしても、歯の隙間に詰まった食物残渣は、従来技術の電動歯ブラシを用いて完全に除去することが依然として困難である。
【０００３】
加齢または病理学的な理由により、歯茎の萎縮、歯の隙間の拡大を引き起こしやすくなり、よって、食物残渣が非常に溜まりやすくなる。口腔を適切な時間内に清掃できない場合、一方では口臭が生じてしまい、他方では様々な歯の疾患、口内疾患、特に、歯周炎が生じてしまう。
【０００４】
このような状況を鑑みて、現在の市場では、ユーザの補助的な使用に提供するために、様々なデンタルフロス、歯間ブラシおよびウォーターフロスなどの製品が開発されてきた。様々な構造や異なる仕様のデンタルフロスおよび歯間ブラシなどの製品が現在の市場に存在しているが、既存の製品は歯の隙間を観察しにくい欠点がある。特に、第３臼歯と第２臼歯との間の隙間、第２臼歯と第１臼歯との間の隙間または第１臼歯と第２小臼歯との間の隙間を清掃する場合、清掃すべき歯の隙間の位置は口腔の奥にあるため、清掃部分は非常に暗く、ユーザは清掃すべき歯の隙間をはっきり見えず、感覚で操作することを余儀なくされ、これは歯茎の出血または損傷を引き起こす可能性がある。
【０００５】
このような従来技術の欠点を克服するために、口腔および歯に対して迅速かつ広範囲にわたって効果的に清掃することができるとともに、可視状態で、歯の隙間などの清掃し難い部分に対して細かく清掃することができる専用の歯清掃器具を開発することが必要である。
【発明の概要】
【０００６】
本発明の多機能可視型電動歯ブラシは、電動歯ブラシの広範囲かつ高効率の清掃能力を有するとともに、可視状態で歯の隙間などの清掃し難い部分に対して、歯間ブラシ、デンタルフロス、歯ブラシ、ウォッシャ、物体取出しクランプおよび物体取出しフックなどの専用の道具を使用して、絞ったかつ正確な清掃を実行することができる。
【０００７】
本発明は、多機能可視型電動歯ブラシを提供する。多機能可視型電動歯ブラシ９００は、本体１００、口内ビューア（ｏｒａｌ  ｖｉｅｗｅｒ）２００、歯間清掃器具４００および電動歯ブラシヘッド５００を備えることを特徴とする。
【０００８】
Ａ．本体１００は、電源システム１１、回路システム１２、制御システム１３、歯ブラシ駆動機構１４および筐体１５を有する。電源システム１１、制御システム１３および歯ブラシ駆動機構１４は、回路システム１２を介して接続されている。電動歯ブラシヘッド５００は、歯ブラシ駆動機構１４に接続されて本体１００に取り付けられている。
【０００９】
Ｂ．口内ビューア２００は、筐体２１、照明システム２３、観察システム２４およびスイッチ２６を有する。照明システム２３、観察システム２４、電源システム１１およびスイッチ２６は、回路システム１２および制御システム１３を介して接続されている。口内ビューア２００は、本体１００に接続されている。
【００１０】
Ｃ．歯間清掃器具４００は、口内ビューア２００に取り付けられている。
【００１１】
本発明では、観察システム２４はカメラシステム２４−１であってもよい。カメラシステム２４−１は、カメラ２４−１−１と、データ処理および出力システム２４−１−２と、ディスプレイ２４−１−３とを有する。カメラ２４−１−１によって撮影された画像は、データ処理および出力システム２４−１−２によって速やかにディスプレイ２４−１−３に送信することができる。ディスプレイ２４−１−３は、スマートフォン２４−１−３１、コンピュータ２４−１−３２、液晶ディスプレイ／テレビ２４−１−３３またはタブレットコンピュータ２４−１−３４であってもよい。
【００１２】
本発明の多機能可視型電動歯ブラシは、電動歯ブラシ、口内ビューアおよび歯間清掃器具を効果的に整合し、回路システム１２および制御システム１３は、電源システム１１を歯ブラシ駆動機構１４に接続することで、歯ブラシ駆動機構１４によって電動歯ブラシヘッド５００を駆動させることができ、また、口内ビューア２００の照明システム２３、観察システム２４およびスイッチ２６を接続することで、口内ビューア２００に動作に必要な電力を提供して、口内ビューア２００の動作を制御することができる。従って、本出願では、本体１００は、電動歯ブラシヘッド４００を駆動することができ、また、口内ビューア２００の照明システム２３および観察システム２４などに駆動力および制御システムを提供することができ、さらに、観察システム２４のカメラ２４−１−１によって撮影された画像を速やかに観察システム２４、例えばスマートフォン２４−１−３１などのディスプレイ２４−１−３に送信することができ、そして、歯間を清掃しながら、歯間清掃器具４００の清掃プロセスおよび清掃効果を即時に観察することを実現し、歯および歯の隙間を徹底的に清掃する目的を達成する。
【００１３】
さらに、本体１００の内部に配置されている歯ブラシ駆動機構１４は、モータ駆動の機械式回転型の歯ブラシ駆動機構であってもよく、電動の電磁振動駆動機構であってもよい。
【００１４】
歯ブラシ駆動機構１４は、一般的に電磁振動駆動機構を採用し、振動発生装置１４−１と、振動発生装置１４−１によって発生された振動を伝達できる振動伝達装置１４−２とを有する。振動伝達装置１４−２の一端が振動発生装置１４−１に接続され、他端が電動歯ブラシヘッド５００に接続されている。
【００１５】
振動発生装置１４−１は、電磁振動装置であり、この電磁振動装置は、電磁発振器、磁気浮上モータまたは圧電トランスデューサである。
【００１６】
電動歯ブラシヘッド５００は、振動伝達装置１４−２に取り外し可能に取り付けられている。一般的に、電動歯ブラシヘッド５００は、振動伝達装置１４−２の遠位端に取り外し可能に取り付けられている。取り外し可能な取り付け方法によって、交換、収納および携帯のために、電動歯ブラシヘッド５００を簡単に本体１００から取り外すことができる。特に、取り外し可能な取り付け方法では、歯間清掃器具４００を用いてさらなる清掃を行う必要な場合、電動歯ブラシヘッド５００を本体から取り外し、歯間清掃器具４００と交換することができ、ユーザが歯間清掃器具４００を用いて清掃することがより便利になる。
【００１７】
電動歯ブラシヘッド５００は、凹凸嵌合接続方法、締り嵌め接続方法または回転接続方法によって振動伝達装置１４−２に取り外し可能に取り付けられている。ここで、本願出願人は、上記３つの取り外し可能な接続方法のみを列挙しているが、当業者は、本出願の保護の範囲から逸脱しない範囲で、実際のニーズに応じて、従来技術と組み合わせて異なる接続方法を設計することができる。
【００１８】
照明システム２３および観察システム２４は、口内ビューア２００の先端部２００−１に配置され、照明システム２３および観察システム２４は、回路システム１２および制御システム１３を介して本体１００に接続されている。電源システム１１がオンに切り換えられた後に、スイッチ２６がオンに切り換えられて、本体１００は、回路システム１２および制御システム１３を介して口内ビューア２００に電力を供給し、口内ビューア２００の照明システム２３および観察システム２４を動作するように駆動することができる。
【００１９】
口内ビューア２００の先端部２００−１は、本体１００に取り外し可能に取り付けられる。口内ビューア２００の先端部２００−１は、本体１００に取り外し可能に取り付けられる。電動歯ブラシヘッド５００を使用して広範囲にわたって歯を掃除する必要な場合、口内ビューア２００の先端部２００−１を本体１００から取り外し、電動歯ブラシヘッド５００を歯ブラシ駆動機構１４の振動伝達装置１４−２に取り付けることで、本体１００は、歯ブラシ駆動機構１４を介して電動歯ブラシヘッド５００を駆動する。口腔内の歯の隙間などの清掃し難しい部分に対して絞った清掃をさらに実行することが必要な場合、電動歯ブラシヘッド５００を振動伝達装置１４−２から取り外し、口内ビューア２００の先端部２００−１を本体１００に取り付けることで、口内ビューア２００を介して口腔清掃状況を観察することができ、また、必要に応じて、歯間清掃器具４００を口内ビューア２００に取り付けて絞った清掃を行う。使用後、個別の収納および洗浄の便宜のために、口内ビューア２００、歯間清掃器具４００および電動歯ブラシヘッド５００を本体から取り外すことができる。
【００２０】
口内ビューア２００の先端部２００−１は回転接続方法または凹凸嵌合接続方法を介して本体１００に取り外し可能に取り付けられている。ここで、本願出願人は、上述した２つの取り外し可能な接続方法のみを列挙しているが、当業者は、本出願の保護の範囲から逸脱しない範囲で、実際のニーズに応じて、従来技術と組み合わせて異なる接続方法を設計することができる。
【００２１】
口内ビューア２００の先端部２００−１は、本体１００に折り畳み可能に取り付けられる。
【００２２】
口内ビューア２００の先端部２００−１は、回転軸型移動機構または凹凸嵌合機構を介して本体１００に折り畳み可能に取り付けられている。ここで、本願出願人は、上記２つの折り畳み可能な接続方法のみを列挙しているが、当業者は、本出願の保護の範囲から逸脱しない範囲で、実際のニーズに応じて、従来技術と組み合わせて様々接続方法を設計することができる。
【００２３】
歯間清掃器具４００は、歯間ブラシ４０１、デンタルフロス４０２、歯ブラシ４０３、ウォッシャ４０４、物体取出しクランプ４０５または物体取出しフック４０６である。ここで、本願出願人は、口内ビューア２００と合わせて使用することができる上記６つの特定の歯間清掃器具のみを列挙しているが、当業者は、本出願の保護の範囲から逸脱しない範囲で、実際のニーズに応じて、口内ビューア２００と合わせて使用するその他の様々な清掃器具を設計することができる。
【００２４】
歯間ブラシ４０１のブラシヘッド４０１−１、デンタルフロス４０２のフロス４０２−１、歯ブラシ４０３の毛４０３−１、ウォッシャ４０４によって噴射された水柱、物体取出しクランプ４０５のクランプヘッド４０５−１および物体取出しフック４０６のヘッド４０６−１は、口内ビューア２００の観察システム２４の視野内にあり、それにより観察システム２４は歯間清掃器具４００の清掃状況をリアルタイムで観察することができる。
【００２５】
歯間清掃器具４００は、接続機構３００を介して口内ビューア２００に取り外し可能に取り付けられる。清掃器具４００が口内ビューア２００に取り外し可能に取り付けられることで、ユーザは、使用プロセスの必要性に応じて様々な歯間清掃器具４００を交換することができ、使用プロセスはより便利になる。
【００２６】
接続機構３００は、回転接続機構、凹凸嵌合接続機構または締り嵌め接続機構である。当然、当業者は、本出願の保護の範囲から逸脱しない範囲で、実際のニーズに応じて、異なる接続機構を設計することができる。
【００２７】
ウォッシャ４０４は、ノズル４０４−１、水タンク４０４−２、水管４０４−３、水噴射スイッチ４０４−４および加圧装置４０４−５を有する。水タンク４０４−２および加圧装置４０４−５は、本体１００の筐体１５に取り付けられている。ノズル４０４−１は、口内ビューア２００の先端部２００−１で観察システム２４の近傍に取り付けられる。従って、ノズル４０４−１によって噴射される水流は、観察システム２４の視野内に維持されることができ、そしてウォッシャ４０４による口腔内の清掃効果を便利に観察することができる。
【００２８】
加圧装置４０４−５は、電動加圧装置４０４−５１である。電動加圧装置４０４−５１は、電源をオンに切り換えるだけで自動加圧を実現し、圧力を安定した状態に保つことができ、使用プロセスはより便利になる。
【００２９】
電動加圧装置４０４−５１は、電動空気加圧装置４０４−５１−１または電動水加圧装置４０４−５１−２である。
【００３０】
電動加圧装置４０４−５１は電動空気加圧装置４０４−５１−１である場合、電動空気加圧装置４０４−５１−１は加圧された空気を水タンク４０４−２に充填して水タンク４０４−２内の水を加圧し、水噴射スイッチ４０４−４をオンに切り換え、加圧された水が水管４０４−３を介してノズル４０４−１から噴射されることで、歯または歯の隙間を洗浄する。
【００３１】
さらに、電動水加圧装置４０４−５１−２は、水中ポンプ４０４−５１−２１または水ポンプ４０４−５１−２２である。
【００３２】
電動水加圧装置４０４−５１−２は水中ポンプ４０４−５１−２１である場合、水タンク４０４−２内の水が水中ポンプ４０４−５１−２１に抽入されて加圧され、水中ポンプ４０４−５１−２１によって加圧された水が水管４０４−３に流入し、ノズル４０４−１から噴射されることで、歯または歯の隙間を洗浄する。
【００３３】
電動水加圧装置４０４−５１−２は水ポンプ４０４−５１−２２である場合、水タンク４０４−２内の水が水ポンプ４０４−５１−２２に吸入され、水ポンプ４０４−５１−２２によって加圧された水が水管４０４−３に流入し、ノズル４０４−１から噴射されることで、歯または歯の隙間を洗浄する。
【００３４】
ウォッシャ４０４のノズル４０４−１は、口内ビューア２００の先端部２００−１の筐体２１に配置されてもよい。
【００３５】
ウォッシャ４０４は、歯間ブラシ４０１、デンタルフロス４０２、歯ブラシ４０３、物体取出しクランプ４０５または物体取出しフック４０６と合わせて使用することができる。
【００３６】
ウォッシャ４０４のノズル４０４−１が口内ビューア２００の先端部２００−１で筐体２１の内部に配置されることで、歯間ブラシ４０１、デンタルフロス４０２、歯ブラシ４０３、物体取出しクランプ４０５または物体取出しフック４０６などの歯間清掃器具が、接続機構３００を介して同時に口内ビューア２００の先端部２００−１に簡単に取り付けられることができる。口腔を清掃するとき、水で洗浄しながら、必要に応じて歯間ブラシ４０１、デンタルフロス４０２、歯ブラシ４０３、物体取出しクランプ４０５または物体取出しフック４０６を使用することができ、特に、操作プロセスをリアルタイムで様々なディスプレイに送信され、直視状態で、食物残渣に対して正確な絞った清掃または口腔内の様々な異物の除去が行われ、そして、清掃効果が大幅に改善され、使用プロセスはより安全かつ便利になる。
【００３７】
ウォッシャ４０４によって噴射される水柱の方向は、歯間ブラシ４０１またはデンタルフロス４０２が歯の隙間に入る方向とほぼ同じである。
【００３８】
このように、歯間ブラシ４０１のブラシヘッド４０１−１またはデンタルフロス４０２のフロス４０２−１が歯の隙間の間を前後に往復移動して清掃を行うとともに、ノズル４０４−１から噴射される水流は、歯の隙間の食物残渣を補助的に洗浄することができる。
【００３９】
使用するとき、まず電動歯ブラシヘッド５００を本体１００の歯ブラシ駆動機構１４に取り付け、この電動歯ブラシヘッド５００を用いて広範囲にわたって口腔の清掃を行う。続いて、電動歯ブラシヘッド５００を本体１００から取り外し、口内ビューア２００を本体１００に取り付けて、この口内ビューア２００によって口腔内の清掃状況を観察する。さらなる絞った清掃が必要な部分に対して、状況に応じて歯間ブラシ４０１、デンタルフロス４０２、歯ブラシ４０３、ウォッシャ４０４、物体取出しクランプ４０５または物体取出しフック４０６などの歯間清掃器具４００を口内ビューア２００の先端部２００−１に取り付けることで、口内ビューア２００の観察システム２４の観察の下で、さらなる絞った清掃が必要な歯の隙間などの部分に対して、歯間清掃器具４００を使用してさらなる清掃を行う。
【００４０】
本発明の多機能可視型電動歯ブラシは、本体１００と、口内ビューア２００と、歯間清掃器具４００と、電動歯ブラシヘッド５００とを備える。口内ビューア２００は本体１００に接続され、歯間清掃器具４００は口内ビューア２００の先端部２００−１に接続され、電動歯ブラシヘッド５００は歯ブラシ駆動機構１４に接続され、本体１００に取り付けられている。本体１００の回路システム１２および制御システム１３は、電源１１のエネルギーを歯ブラシ駆動機構１４に伝達するで、電動歯ブラシヘッド５００を駆動して広範囲の口内清掃を行うことができ、また、口内ビューア２００の照明システム２３、観察システム２４およびスイッチ２６を接続することで、口内ビューア２００の動作を制御することができる。歯間清掃器具４００はビューア２００と合わせて使用することで、口腔内の清掃し難しい食物残渣に対して絞った清掃を行う。本発明の多機能可視型電動歯ブラシは、電動歯ブラシの広範囲および高効率の清掃能力を有するとともに、可視状態で、歯間ブラシ、デンタルフロス、歯ブラシ、ウォッシャ、物体取出しクランプおよび物体取出しフックなどの専用の道具を用いて、歯の隙間などの清掃し難しい部分に対して絞ったかつ正確な清掃を行うことができる。
【図面の簡単な説明】
【００４１】
【図１】電動歯ブラシヘッドが本体に接続されているときの本発明の多機能可視型電動歯ブラシの斜視図である。
【図１−１】図１の背面構造の斜視図である。
【図１−２】デンタルフロスおよびウォッシャと組み合された口内ビューアが本体に接続されているときの本発明の多機能可視型電動歯ブラシの斜視図である。
【図１−３】図１−２の背面構造の斜視図である。
【図１−４】デンタルフロスが口内ビューアから取り外されているときの斜視図である。
【図１−５】本発明の多機能可視型電動歯ブラシの分解図であり、口内ビューアおよび関連の歯間清掃器具、ならびに電動歯ブラシヘッドは、本発明の多機能可視型電動歯ブラシの本体に取り外し可能に取り付けることができる。
【図１−６】本発明の多機能可視型電動歯ブラシの取付構造の概略図である。
【図２】図１の正面図である。
【図２−１】図２のＡ−Ａ断面図である。
【図３】ウォッシャを有する口内ビューアが本体に取り付けられているときの正面図である。
【図３−１】図３のＢ−Ｂ断面図である。
【図４】歯間ブラシを有する口内ビューアが本体に接続されているときの斜視図である。
【図４−１】歯間ブラシが口内ビューアから取り外されているときの構造の概略図である。
【図４−２】図４の正面図である。
【図４−３】図４−２のＣ−Ｃ断面図である。
【図４−４】図４−２のＤ−Ｄ断面図である。
【図５】歯ブラシを有する場合の斜視図である。
【図５−１】歯ブラシが口内ビューアから取り外されているときの斜視図である。
【図６】物体取出しクランプを有する場合の斜視図である。
【図７】物体取出しフックを有する場合の斜視図である。
【図８】本発明の多機能可視型電動歯ブラシが有線式にディスプレイに接続されているときの概略図である。
【図９】本発明の多機能可視型電動歯ブラシが無線式にディスプレイに接続されているときの概略図である。
【図１０】本発明の水ポンプを有する多機能可視型電動歯ブラシの構造の概略図である。
【図１１】本発明の電気式空気圧縮器を有する多機能可視型電動歯ブラシの構造の概略図である。
【００４２】
上記図中：
【００４３】
１００は本体、２００は口内ビューア、３００は接続機構、４００は歯間清掃器具、５００は電動歯ブラシヘッド、９００は本発明の多機能可視型電動歯ブラシである。
【００４４】
２００−１は口内ビューアの先端部である。
【００４５】
２０１は取り外し可能なネジ付き接続機構、２０１−１はネジ付き上部カバー、２０１−２は水路ポート、２０１−３は回路ポート、２０１−４はネジ付きベース、２０１−５はシールリング、２０１−６はシールカバー、２０１−７は伝達軸取付孔である。
【００４６】
本体において：
【００４７】
１１は電源システム、１２は回路システム、１３は制御システム、１４は歯ブラシ駆動機構、１５は筐体である。
【００４８】
１３−１は電源スイッチ、１３−２は歯ブラシ駆動スイッチである。
【００４９】
１４−１は振動発生装置、１４−２は振動伝達装置、１４−２−１は伝達軸接続部分、１４−２−１１は接続溝、１４−２−１２は回転防止凸状段差、１４−２−１３は接続軸である。
【００５０】
１５−１は電気取付けスペース、１５−２は水および水路取付けスペース、１５−３は吸気孔、１５−２−１は仕切板、１５−２−１１は水タンク取付けスペース、１５−２−１２は加圧装置取付けスペースである。
【００５１】
口内ビューアにおいて：
【００５２】
２１は筐体、２３は照明システム、２４は観察システム、２６はスイッチである。
【００５３】
２４−１はカメラシステムである。
【００５４】
２４−１−１はカメラ、２４−１−２はデータ処理および出力システム、２４−１−３はディスプレイである。
【００５５】
２４−１−３１はスマートフォン、２４−１−３２はコンピュータ、２４−１−３３は液晶ディスプレイ／テレビ、２４−１−３４はタブレットコンピュータである。
【００５６】
接続機構において：
【００５７】
３１はウォッシャを口内ビューアに取り付けるための位置決めブロック、３２はウォッシャを口内ビューアに取り付けるための位置決めスロット、３３はウォッシャを口内ビューアに取り付けるためのクランプブロックである。
【００５８】
歯間清掃器具において：
【００５９】
４０１は歯間ブラシ、４０２はデンタルフロス、４０３は歯ブラシ、４０４はウォッシャ、４０５は物体取出しクランプ、４０６は物体取出しフックである。
【００６０】
４０１−１はブラシヘッド、４０１−２はスライダ、４０１−３はエルボ、４０２−１はフロス、４０３−１は毛、４０５−１はクランプヘッド、４０６−１は物体取出しフックのヘッドである。
【００６１】
４０４−１はノズル、４０４−２は水タンク、４０４−３は水管、４０４−４は噴射水噴射スイッチ、４０４−５は加圧装置、４０４−６は水充填口である。
【００６２】
４０４−５１は電動加圧装置である。
【００６３】
４０４−５１−１は電動空気加圧装置、４０４−５１−１１は電気式空気圧縮器、４０４−５１−１１１は吸気システム、４０４−５１−１１２は空気圧縮器、４０４−５１−１１３は空気充填管である。
【００６４】
４０４−５１−２は電動水加圧装置、４０４−５１−２１は水中ポンプ、４０４−５１−２２は水ポンプ、４０４−５１−２１１は吸水システム、４０４−５１−２１２は加圧システム、４０４−５１−２１３は排水システム、４０４−５１−２２１は吸水システム、４０４−５２−２２２は負圧吸引システム、４０４−５２−２２３は排水システムである。
【００６５】
電動歯ブラシヘッドにおいて：
【００６６】
５１は弾性接続片、５２は取付けスロットである。
【発明を実施するための形態】
【００６７】
実施形態１：本発明の多機能可視型電動歯ブラシ
【００６８】
図１〜図４−４に示すように、本発明の多機能可視型電動歯ブラシは、本体１００、口内ビューア２００、歯間清掃器具４００および電動歯ブラシヘッド５００を備える。本実施形態では、歯間清掃器具４００は、ウォッシャ４０４を有する。
【００６９】
本体１００は、電源システム１１、回路システム１２、制御システム１３、歯ブラシ駆動機構１４、および筐体１５を有する。電源スイッチ１３−１および歯ブラシ駆動スイッチ１３−２が制御システム１３に配置されている。電源スイッチ１３−１および歯ブラシ駆動スイッチ１３−２は、図１および図１−１に示すように、筐体１５に配置されている。
【００７０】
本実施形態では、歯ブラシ駆動機構１４は、電磁振動駆動機構を採用する。歯ブラシ駆動機構１４は、振動発生装置１４−１と、振動発生装置１４−１によって発生された振動を伝達可能な振動伝達装置１４−２とを有する。図２および図２−１に示すように、振動伝達装置１４−２の近位端が振動発生装置１４−１に接続され、遠位端が電動ブラシヘッド５００に接続されている。
【００７１】
本実施形態では、振動発生装置１４−１は電磁振動装置であり、この電磁振動装置は、電磁発振器、磁気浮上モータ、圧電トランスデューサまたは他の形態の電磁振動装置である。ここで、本願出願人は他の形態の電磁振動装置を１つずつ列挙しないが、それらは本出願の保護の範囲から逸脱しないものであればよい。
【００７２】
勿論、本体１００に配置された歯ブラシ駆動機構１４は、モータ駆動型機械式回転歯ブラシ駆動機構であってもよく、本願出願人はこれに関する説明を省略する。
【００７３】
本実施形態では、ウォッシャ４０４が含まれているため、本体１００の筐体１５内には、電気的取付けスペース１５−１と、水および水路取付けスペース１５−２との２つの部分が設けられている。図２−１および図３−１に示すように、電源システム１１、回路システム１２および制御システム１３は、電気的取付けスペース１５−１内に取り付けられている。
【００７４】
電源システム１１、制御システム１３および歯ブラシ駆動機構１４は、回路システム１２を介して接続されている。電源システム１１は、歯ブラシ駆動機構を駆動することができ、これによって電動歯ブラシヘッド５００を駆動する。
【００７５】
口内ビューア２００は、筐体２１と、照明システム２３と、観察システム２４と、スイッチ２６とを有する。スイッチ２６は、本体１００の筐体１５に配置されている。照明システム２３および観察システム２４は、口内ビューア２００の先端部２００−１に配置されている。
【００７６】
本実施形態では、観察システム２４はカメラシステム２４−１である。カメラシステム２４−１は、カメラ２４−１−１と、データ処理および出力システム２４−１−２と、ディスプレイ２４−１−３とを有する。カメラ２４−１−１によって撮影された画像は、データ処理および出力システム２４−１−２を介してリアルタイムでディスプレイ２４−１−３に送信することができる。ディスプレイ２４−１−３は、図８および図９に示すように、スマートフォン２４−１−３１、コンピュータ２４−１−３２、液晶ディスプレイ／テレビ２４−１−３３またはタブレットコンピュータ２４−１−３４であってもよい。
【００７７】
本実施形態では、口内ビューア２００の先端部２００−１は、取外し可能なネジ接続機構２０１によってネジ接続の方法で本体１００に取外し可能に接続されている。
【００７８】
取外し可能ネジ接続機構２０１は、ネジ付き上部カバー２０１−１と、水路ポート２０１−２と、回路ポート２０１−３と、ネジ付きベース２０１−４とを有する。図１−５および図１−６に示すように、清掃プロセス中の汚水が回路または水路へ侵入することを防止するために、水路ポート２０１−２および回路ポート２０１−３には、シールリング２０１−５が配置されている。
【００７９】
また、回路システム１２および制御システム１３は、照明システム２３、観察システム２４、電源システム１１およびスイッチ２６を接続することができ、電源システム１１は、口内ビューア２００の照明システム２３および観察システム２４を駆動することで、口内ビューア２００を制御する。
【００８０】
従って、本出願では、本体１００は、電動歯ブラシヘッド５００を駆動することができ、また、口内ビューア２００の照明システム２３、観察システム２４等のために電源および制御システムを提供することができ、観察システム２４のカメラ２４−１−１によって撮影した画像を、観察システム２４、例えばスマートフォン２４−１−３１などのディスプレイ２４−１−３に速やかに送信することができ、そして、清掃しながら、歯間清掃器具４００の歯間清掃プロセスおよび清掃効果を携帯電話上で即時に観察することができ、歯および歯の隙間を徹底的に清掃する目的を達成する。
【００８１】
本実施形態では、電動歯ブラシヘッド５００は、振動伝達装置１４−２の遠位端に取外し可能に取り付けられている。この取外し可能な取付け方法によって、電動歯ブラシヘッド５００が本体１００から取り外されて交換、収納および携帯され易くなる。特に、この取外し可能な取り付け方法では、歯間清掃器具４００を使用してさらなる清掃を行うことが必要な場合、電動歯ブラシヘッド５００を本体から取り外し、歯間清掃器具４００と交換することができ、ユーザが歯間清掃器具４００を使用して清掃することがより便利になる。
【００８２】
本実施形態では、電動歯ブラシヘッド５００は、凹凸嵌合接続によって振動伝達装置１４−２に取り外し可能に取り付けられる。振動伝達装置１４−２は、伝達軸接続部１４−２−１を有し、この伝達軸接続部１４−２−１には接続溝１４−２−１１、回転防止凸状段差１４−２−１２および接続軸１４−２−１３が設けられている。電動歯ブラシヘッド５００の底部には、弾性接続片５１と取付溝５２とが配置されている。取付溝５２の形状は、伝達軸接続部１４−２−１の外形とマッチングする。接続ときに、電動歯ブラシヘッド５００の取付溝５２を、伝達軸接続部１４−２−１に差し込めるように伝達軸接続部１４−２−１に向けて、下方に向かって軽く押すと、弾性接続片５１が接続軸１４−２−１３の作用によって外側に弾性変形し、伝達軸接続部１４−２−１が取付溝５２に入り始め、接続溝１４−２−１１に達するまで下方に向かって押し続ける。そして、弾性接続片５１に作用する外力を外し、弾性接続片５１は元の状態に戻り、接続溝１４−２−１１の内側を押し付け、よって、電動歯ブラシヘッド５００が振動伝達装置１４−２から分離することを防止することができる。電動歯ブラシヘッド５００を取り外するとき、図１−５〜図２−１に示すように、上方に向かって電動歯ブラシヘッド５００を引っ張ればよい。
【００８３】
当然、電動歯ブラシヘッド５００は、締り嵌め接続や回転接続などの他の方法で振動伝達装置１４−２に取り外し可能に取り付けることができる。ここでは、本願出願人は他の方法を列挙しない。
【００８４】
電動歯ブラシヘッド５００を用いて広い面積にわたり歯を掃除するとき、口内ビューア２００の先端部２００−１を本体１００から取り外し、電動歯ブラシヘッド５００を歯ブラシ駆動機構１４の振動伝達装置１４−２に取り付けることで、本体１００は歯ブラシ駆動機構１４を介して電動歯ブラシヘッド５００を駆動する。口腔内の歯の隙間などの清掃し難しい部分に対して絞った清掃をさらに行うことが必要なとき、電動歯ブラシヘッド５００を振動伝達装置１４−２から取り外し、口内ビューア２００の先端部２００−１を本体１００に取り付けることで、口内ビューア２００を介して口腔清掃状況を観察することができ、また、必要に応じて歯間清掃器具４００を口内ビューア２００に取り付けることで絞った清掃を行う。使用後、別々の収納および洗浄の便宜のために、口内ビューア２００、歯間清掃器具４００および電動歯ブラシヘッド５００は本体から取り外すことができる。
【００８５】
図２−１および図３−１に示すように、本実施形態では、歯間清掃器具は、ウォッシャ４０４を有する。ウォッシャ４０４は、ノズル４０４−１と、水タンク４０４−２と、水管４０４−３と、水噴射スイッチ４０４−４と、加圧装置４０４−５とを有する。本実施形態では、ノズル４０４−１は、口内ビューア２００の先端部２００−１の筐体２１に配置されている。水タンク４０４−２および加圧装置４０４−５は、本体１００の筐体１５の水および水路取付け空間１５−２に取り付けられている。ノズル４０４−１は、口内ビューア２００の先端部２００−１の観察システム２４の近くに取り付けられており、これによってノズル４０４−１によって噴射される水流が観察システム２４の視界内に維持されることが確保され、ウォッシャ４０４による口腔内の清掃効果が簡単に観察することができる。
【００８６】
本実施形態では、加圧装置４０４−５は電動加圧装置４０４−５１である。電動加圧装置４０４−５１は、電動水加圧装置４０４−５１−２である。電動水加圧装置４０４−５１−２は、図２−１および図３−１に示すように、水中ポンプ４０４−５１−２１である。
【００８７】
水中ポンプ４０４−５１−２１は、取水システム４０４−５１−２１１、加圧システム４０４−５１−２１２および排水システム４０４−５１−２１３を有する。
【００８８】
図２−１に示すように、水中ポンプ４０４−５１−２１は水タンク４０４−２の底部に取り付けられ、排水システム４０４−５１−２１３は水管４０４−３に接続されている。電源システム１１が水中ポンプ４０４−５１−２１に電力を供給した後、加圧システム４０４−５１−２１２は作動し、取水システム４０４−５１−２１１を通過して水中ポンプ４０４−５１−２１に入った水を加圧する。水噴射スイッチ４０４−４がオンに切り換えられ、加圧された水が排水システム４０４−５１−２１３によって、水管４０４−３を通過した後にノズル４０４−１から噴射されて歯を洗浄する。
【００８９】
水タンク４０４−２には水充填口４０４−６がさらに設けられており、水は水補充ノズル４０４−６を介して水タンク４０４−２補充されてもよい。
【００９０】
本実施形態では、ウォッシャ４０４のノズル４０４−１は、口内ビューア２００の先端部２００−１で筐体２１の内部に配置され、また、口内ビューア２００の先端部は、他の歯間清掃器具４００、例えば歯間ブラシ４０１、デンタルフロス４０２、歯ブラシ４０３、物体取出しクランプ４０５または物体取出しフック４０６などとさらに組み合わせ、セットで使用してもよい。口腔を清掃するとき、水で洗浄しながら、必要に応じて、歯間ブラシ４０１、デンタルフロス４０２、歯ブラシ４０３、物体取出しクランプ４０５または物体取出しフック４０６などの他の歯間清掃器具が同時に清掃を行い、特に、操作プロセスはリアルタイムで様々なディスプレイに送信されることで、直視状態で、食物残渣に対して正確な絞った清掃または口腔内の様々な異物の除去が行われ、そして清掃効果が大幅に改善され、また、使用プロセスはより安全、便利になる。
【００９１】
図４〜図４−４に示すように、口内ビューア２００の先端部２００−１は、歯間ブラシ４０１と組み合わされている。歯間ブラシ４０１は、接続機構３００によって口内ビューア２００の先端部２００−１に取り外し可能に取り付けられている。
【００９２】
接続機構３００は独立した構成要素であってもよく、歯間ブラシ４０１にまたは口内ビューア２００に配置されてもよく、または、取り外し可能な機械的接続機構の一部が歯間ブラシ４０１に配置され、別の部分が複合型機械的接続機構を形成するために口内ビューア２００上に配置されてもよい。
【００９３】
本実施形態では、接続機構３００は凹凸嵌合接続を採用するものとしたが、接続機構３００は、摺動シュート接続、ピン接続、キー接続、ネジ接続、スクリュー接続、バックル接続、フック接続、締り嵌め接続またはそれらに類する接続を採用してもよい。当業者による本発明に開示された技術的解決法を含む様々な具体的な製品設計が、本出願の保護の範囲に含む。
【００９４】
本実施形態では、歯間ブラシ４０１と接続可能な位置決めスロット３２およびクランプブロック３３が、口内ビューア２００の筐体２１に配置されており、歯間ブラシ４０１上の逆Ｔ字形位置決めブロック３１が位置決めスロット３２内に埋め込まれることができ、クランプブロック３３は、歯間ブラシ４０１が後方へ滑ることを防止することができ、位置決めブロック３１、位置決めスロット３２およびクランプブロック３３は、接続機構３００を構成するように協同する。
【００９５】
歯間ブラシ４０１のブラシヘッド４０１−１は、観察システム２４の視野内にある。スライダ４０１−２が歯間ブラシ４０１に配置され、スライダ４０１−２を押すことによって、歯間ブラシ４０１のブラシヘッド４０１−１は、歯間ブラシ４０１の先端部のエルボ４０１−３内で前後に往復移動する。
【００９６】
図１−２〜図１−５に示すように、口内ビューア２００の先端部２００−１は、デンタルフロス４０２と組み合されている。デンタルフロス４０２は、接続機構３００を介して口内ビューア２００の先端部２００−１に取り付けられている。デンタルフロス４０２のフロス４０２−１は観察システム２４の視野内にある。
【００９７】
本実施形態では、ウォッシャ４０４によって噴射される水柱の方向は、歯間ブラシ４０１またはデンタルフロス４０２が歯の隙間に入る方向とほぼ同じである。
【００９８】
このように、歯間ブラシ４０１のブラシヘッド４０１−１またはデンタルフロス４０２のフロス４０２−１が歯の隙間の間に前後に往復移動することで、歯の清掃とともに、ノズル４０４−１から噴射された水流が歯の隙間の食物残渣を補助的に洗浄することができる。
【００９９】
さらに、図５〜図７に示すように、口内ビューア２００が接続機構３００を介して他の歯間清掃器具４００、例えば歯ブラシ４０３、物体取出しクランプ４０５および物体取出しフック４０６などと接続されるプロセスはここで説明を省略するが、歯ブラシ４０３の毛４０３−１、ウォッシャ４０４によって噴射される水柱、物体取出しクランプ４０５のクランプヘッド４０５−１および物体取出しフック４０６のヘッド４０６−１が、清掃プロセスにおいて直接観察ができるように、観察システム２４の視野内にあることを確保すればよい。
【０１００】
使用時、まず、電動歯ブラシヘッド５００を本体１００の歯ブラシ駆動機構１４に取り付け、電源スイッチ１３−１を押した後に、歯ブラシ駆動スイッチ１３−２を押し、それにより電動歯ブラシヘッド５００を広範囲にわたって口腔内を清掃するために使用することができる。このとき、歯のブラッシング中に取り外し可能なネジ接続機構２０１の水路ポート２０１−２または回路ポート２０１−３に液体または泡が誤って入ることを防止するために、シールカバー２０１−６をカバーすることが必要である。
【０１０１】
電動歯ブラシヘッド５００の使用後、歯ブラシ駆動スイッチ１３−２および電源スイッチ１３−１をオフに切り換え、続いて、上方に向かって電動歯ブラシヘッド５００を引っ張ると、電動歯ブラシヘッド５００を本体１００から取り外すことができる。振動伝達装置１４−２の伝達軸接続部１４−２−１を、取り外し可能なネジ接続機構２０１内の伝達軸取付孔２０１−７に差し込めるようにこの伝達軸取付孔２０１−７に向けるとともに、水路ポート２０１−２および回路ポート２０１−３に差し込めるように水路ポート２０１−２および回路ポート２０１−３に向けて、ネジ付き上部カバー２０１−１を回転させ、ネジ付き上部カバー２０１−１をネジ付きベース２０１−４に接続し、シールリング２０１−５が良好なシールを形成するまでネジ付き上部カバー２０１−１を締め付けることで、口内ビューアを本体１００に取り付けることができる。このとき、口内ビューア２００を介して口腔内の清掃状況を観察することができ、さらに絞った清掃を行う必要な部分がある場合、状況に応じて、歯間ブラシ４０１、デンタルフロス４０２、歯ブラシ４０３、ウォッシャ４０４、物体取出しクランプ４０５または物体取出しフック４０６などの歯間清掃器具４００が接続機構３００を介して口内ビューア２００の先端部２００−１に取り付けされることができ、口内ビューア２００の観察システム２４の観察下で、さらに絞った清掃が必要な歯の隙間などの部分を、歯間清掃器具４００を使用してさらなる清掃を行う。
【０１０２】
本発明の多機能可視型電動歯ブラシは、電動歯ブラシの広範囲かつ高効率の清掃能力を有するとともに、可視状態で、歯の隙間などの清掃し難い部分に対して、歯間ブラシ、デンタルフロス、歯ブラシ、ウォッシャ、物体取出しクランプおよび物体取出しフックなどの専用の道具を使用して、絞ったかつ正確な清掃を行う。
【０１０３】
本実施形態では、電動加圧装置４０４−５１は、水中ポンプ４０４−５１−２１である。なお、電動加圧装置４０４−５１は、水ポンプ４０４−５１−２２であってもよい。
【０１０４】
図１０に示すように、電動加圧装置４０４−５１は水ポンプ４０４−５１−２２である場合、筐体１５の水および水路取付けスペース１５−２には仕切板１５−２−１がさらに配置され、仕切板１５−２−１は、水および水路取付けスペース１５−２を水タンク取付けスペース１５−２−１１と加圧装置取付けスペース１５−２−１２とに仕切る。
【０１０５】
水ポンプ４０４−５１−２２は、吸水システム４０４−５１−２２１、負圧吸引システム４０４−５２−２２２および排水システム４０４−５２−２２３を有する。負圧吸引システム４０４−５２−２２２は、加圧装置取付けスペース１５−２−１２に取り付けられ、水と隔離されており、吸水システム４０４−５１−２２１は仕切板１５−２−１を貫通して水タンク４０４−２の底部に配置されており、排水システム４０４−５２−２２３は仕切板１５−２−１を貫通して水管４０４−３に接続されている。
【０１０６】
電源システム１１がオンに切り換えられ電源システム１１が電力を水ポンプ４０４−５１−２２に供給した後に、負圧吸引システム４０４−５２−２２２が作動し、水タンク４０４−２内の水が吸水システム４０４−５１−２２１を介して水ポンプ４０４−５１−２２に吸入され、負圧吸引システム４０４−５２−２２２によって加圧された後に、水噴射スイッチ４０４−４がオンに切り換えられ、加圧された水が、排水システム４０４−５２−２２３を介して水管４０４−３を通過した後にノズル４０４−１から噴射されて歯の洗浄を行う。
【０１０７】
図１１に示すように、電動加圧装置４０４−５１は同じく電動空気加圧装置４０４−５１−１であってもよい。電動空気加圧装置４０４−５１−１は、電気式空気圧縮器４０４−５１−１１であってもよい。この場合において、筐体１５の水および水路取付けスペース１５−２にも仕切板１５−２−１が配置され、仕切板１５−２−１は水および水路取付けスペース１５−２を、水タンク取付けスペース１５−２−１１と加圧装置取付けスペース１５−２−１２とに仕切る。
【０１０８】
電気式空気圧縮器４０４−５１−１１は、吸気システム４０４−５１−１１１、空気圧縮器４０４−５１−１１２および空気充填管４０４−５１−１１３を有する。空気圧縮器４０４−５１−１１２は、加圧装置取付けスペース１５−２−１２に取り付けられており、空気充填管４０４−５１−１１３は、仕切板１５−２−１を貫通して空気充填口が水タンク４０４−２内の水面よりも上方に配置されており、電気式空気圧縮器４０４−５１−１１が確実に連続して空気を圧縮して加圧できるために、筐体１５の側壁には、吸気孔１５−３も形成されている。
【０１０９】
電源システム１１がオンに切り換えられた後、電源システム１１は電気式空気圧縮器４０４−５１−１１に電力を供給し、空気圧縮器４０４−５１−１１２は作動する。吸気システム４０４−５１−１１１が空気を空気圧縮器４０４−５１−１１２に送り、空気圧縮器４０４−５１−１１２が空気を圧縮して加圧した後に、加圧された空気を用いて空気充填管４０４−５１−１１３に通過させて水タンク４０４−２内の水を加圧する。水噴射スイッチ４０４−４がオンに切り換えられると、加圧された水が、水管４０４−３を介して噴射器１１から噴射されて歯を洗浄する。
【０１１０】
本発明に開示及び説明された構造は、同じ効果を有する他の構造で置き換えられてもよく、本発明に記載された実施形態は、本発明の唯一の構成ではない。。本発明の好ましい実施形態が本明細書にて紹介して説明したが、当業者はこれらの実施形態は単に例として記載されているものであることを明確に認識している。、また、当業者は、各実施形態に変更、改良又は置換を加えたものも、本発明の特徴を含む限り本発明の範囲に包含される。従って、本発明の保護範囲は、本発明の添付の特許請求の範囲の趣旨および範囲によって定義されるべきである。
【図１】
2020505080.tif 000003
【図１−１】
2020505080.tif 000004
【図１−２】
2020505080.tif 000005
【図１−３】
2020505080.tif 000006
【図１−４】
2020505080.tif 000007
【図１−５】
2020505080.tif 000008
【図１−６】
2020505080.tif 000009
【図２】
2020505080.tif 000010
【図２−１】
2020505080.tif 000011
【図３】
2020505080.tif 000012
【図３−１】
2020505080.tif 000013
【図４】
2020505080.tif 000014
【図４−１】
2020505080.tif 000015
【図４−２】
2020505080.tif 000016
【図４−３】
2020505080.tif 000017
【図４−４】
2020505080.tif 000018
【図５】
2020505080.tif 000019
【図５−１】
2020505080.tif 000020
【図６】
2020505080.tif 000021
【図７】
2020505080.tif 000022
【図８】
2020505080.tif 000023
【図９】
2020505080.tif 000024
【図１０】
2020505080.tif 000025
【図１１】
2020505080.tif 000026
【国際調査報告】
2020505080.tif 000027
2020505080.tif 000028
2020505080.tif 000029
2020505080.tif 000030